(57)【特許請求の範囲】
【請求項１】
物理上りリンク制御チャネル（ＰＵＣＣＨ）のパワー制御方法であって、
ユーザ装置（ＵＥ）がＰＵＣＣＨフォーマット３（ＰＵＣＣＨ  ｆｏｒｍａｔ３）で伝送する場合に必要なパワー制御パラメータ
0005779277.tif 000179
を確定し、前記
0005779277.tif 000180
によってＰＵＣＣＨ  ｆｏｒｍａｔ３での伝送に対してパワー制御を行うことを含み、
前記ＵＥがＰＵＣＣＨ  ｆｏｒｍａｔ３で伝送する場合に必要なパワー制御パラメータ
0005779277.tif 000181
を確定することは、空間バインディング操作を採る場合、
0005779277.tif 000182
は、ＵＥにより受信された物理下りリンク制御チャネル（ＰＤＣＣＨ）に対応する物理下りリンク共有チャネル（ＰＤＳＣＨ）の個数、半永続スケジューリング（ＳＰＳ）サブフレームの数量、及びＳＰＳにより解放（ｒｅｌｅａｓｅ）された下りリンク制御情報フォーマット（ＤＣＩ  ｆｏｒｍａｔ）の数量の総和となり、
または、空間バインディング操作を採らない場合、
0005779277.tif 000183
は、ＵＥにより受信された伝送ブロックの個数、ＰＤＣＣＨロスが発生した伝送ブロックの個数、及びＳＰＳにより解放されたＤＣＩ  ｆｏｒｍａｔの数量の総和となり、
または、空間バインディング操作を採る場合、
0005779277.tif 000184
は、ＵＥにより受信されたＰＤＣＣＨに対応するＰＤＳＣＨの個数とＳＰＳにより解放されたＤＣＩ  ｆｏｒｍａｔ数量の総和となり、または空間バインディング操作を採らない場合、
0005779277.tif 000185
は、ＵＥにより受信された伝送ブロックの個数とＳＰＳにより解放されたＤＣＩ  ｆｏｒｍａｔ数量の総和となることを特徴とする方法。
【請求項２】
前記ＵＥが受信したＰＤＣＣＨに対応するＰＤＳＣＨの個数は、ＵＥが、配置（ｃｏｎｆｉｇｕｒｅ）されたすべてのサービングセルに受信したＰＤＣＣＨに対応するＰＤＳＣＨの総数となり、ここで、ＵＥがサービングセルの下りリンクウィンドウに下りリンク許可情報における下りリンク割り当てインデックス（ＤＬ  ＤＡＩ）を検索しなかった場合、ＵＥが前記サービングセルに受信したＰＤＣＣＨに対応するＰＤＳＣＨの個数は、０となり、ＵＥがサービングセルの下りリンクウィンドウにＤＬ  ＤＡＩを検索した場合、ＵＥが前記サービングセルに受信したＰＤＣＣに対応するＰＤＳＣＨの個数は、下りリンクウィンドウに検索された最後のＤＬ  ＤＡＩ値に対応するＰＤＳＣＨの個数となり、前記サービングセルの下りリンクウィンドウが前記サービングセルにおいてＵＥに割り当てられた下りリンクサブフレームで構成されることを特徴とする
請求項１に記載のパワー制御方法。
【請求項３】
前記ＰＤＣＣＨロスが発生した伝送ブロックの個数は、ＵＥに割り当てられたすべてのサービングセルにＰＤＣＣＨロスが発生した伝送ブロックの総数となり、その中、ＵＥがサービングセルの下りリンクウィンドウにＤＬ  ＤＡＩを検出しなかった場合、前記サービングセルにＰＤＣＣＨロスが発生した伝送ブロックの個数は、０となり、ＵＥがサービングセルの下りリンクウィンドウにＤＬ  ＤＡＩを検出した場合、前記サービングセルにＰＤＣＣＨロスが発生した伝送ブロックの個数は、ＵＥが下りリンクウィンドウに検出された最後のＤＬ  ＤＡＩ値に対応するＰＤＳＣＨの個数からＵＥが下りリンクウィンドウに受信したＰＤＣＣＨに対応するＰＤＳＣＨの個数を減算したのち、前記サービングセルに配置（ｃｏｎｆｉｇｕｒｅ）された伝送モードに対応する伝送ブロックの個数を乗算したものとなり、前記サービングセルの下りリンクウィンドウが前記サービングセルにおいてＵＥに割り当てられた下りリンクサブフレームで構成されることを特徴とする
請求項１に記載の前記パワー制御方法。
【請求項４】
前記
0005779277.tif 000186
によってＰＵＣＣＨ  ｆｏｒｍａｔ３での伝送に対してパワー制御を行うことは、サービングセルｃにおけるｉ番目のサブフレームにＰＵＣＣＨ  ｆｏｒｍａｔ３で伝送する場合、前記
0005779277.tif 000187
を次の式に代入して、ｉ番目のサフレームにＰＵＣＣＨ  ｆｏｒｍａｔ３で伝送するパワー
0005779277.tif 000188
を得て、
0005779277.tif 000189
ここで、
0005779277.tif 000190
は、サービングセルｃにおけるｉ番目のサブフレーム上の最大送信パワーであり、
0005779277.tif 000191
は、開ループ制御パラメータであり、
0005779277.tif 000192
は、ＰＵＣＣＨフォーマットＦに関連するパワーオフセットであり、
0005779277.tif 000193
は、サービングセルｃ上のＵＥが測定して計算した下りリンク経路損失の見積もりであり、
0005779277.tif 000194
は、異なるＰＵＣＣＨフォーマット
0005779277.tif 000195
によって設定された伝送ダイバーシチパワー補正値であり、
0005779277.tif 000196
は、ＰＵＣＣＨフォーマットに基づく値であり、シングルリード-マラー（ＲＭ）で符号化されたＰＵＣＣＨ  ｆｏｒｍａｔ３が用いられ且つ伝送ダイバーシチが配置（ｃｏｎｆｉｇｕｒｅ）されない場合、
0005779277.tif 000197
となり、シングルＲＭで符号化されたＰＵＣＣＨ  ｆｏｒｍａｔ３が用いられ且つ伝送ダイバーシチが配置（ｃｏｎｆｉｇｕｒｅ）された場合、または、デュアルＲＭで符号化されたＰＵＣＣＨ  ｆｏｒｍａｔ３が用いられた場合、
0005779277.tif 000198
となり、ここで、現在のサブフレームがＳＲ伝送サブフレームに構成されると、
0005779277.tif 000199
となり、そうでなければ、
0005779277.tif 000200
となり、
0005779277.tif 000201
はチャネル品質指示子の情報ビット数に等しいことを特徴とする
請求項１に記載のパワー制御方法。
【請求項５】
前記ＰＵＣＣＨ  ｆｏｒｍａｔ３での伝送にＤｕａｌ  ＲＭ符号化モードを用いる場合、当該方法は、さらに、送信すべき肯定／否定（ＡＣＫ／ＮＡＣＫ）応答情報を、予め定義されたルールに応じて２つのＡＣＫ／ＮＡＣＫ応答情報ビットシーケンスにマッピングし、ＲＭ符号による符号化モードでそれぞれ各ＡＣＫ／ＮＡＣＫ応答情報ビットシーケンスを符号化し、その後、符号化後の２つのＡＣＫ／ＮＡＣＫ応答情報ビットシーケンスをカスケードにインターリーブして伝送することを含むことを特徴とする
請求項１に記載のパワー制御方法。
【請求項６】
前記送信すべきＡＣＫ／ＮＡＣＫ応答情報を、予め定義されたルールに応じて２つのＡＣＫ／ＮＡＣＫ応答情報ビットシーケンスにマッピングすることは、ＵＥがフィードバックすべきＡＣＫ／ＮＡＣＫ応答情報を確定し、サービングセルインデックスの低いから高い順でＡＣＫ／ＮＡＣＫ応答情報に対応するＡＣＫ／ＮＡＣＫ応答情報シーケンスを得て、同じサービングセルに対して、下りリンク許可情報におけるＤＬ  ＤＡＩ値に応じて、ＡＣＫ／ＮＡＣＫ応答情報をＡＣＫ／ＮＡＣＫ応答情報シーケンスにマッピングし、ここで、前記ＡＣＫ／ＮＡＣＫ応答情報におけるＳＲＳにより解放されたＡＣＫ／ＮＡＣＫ応答情報がその利用するサービングセルからフィードバックされたＡＣＫ／ＮＡＣＫ応答情報の最後に位置し、その後、ＡＣＫ／ＮＡＣＫ応答情報シーケンスにおけるＡＣＫ／ＮＡＣＫ応答情報をパリティ位置に応じてそれぞれ２つのＡＣＫ／ＮＡＣＫ応答情報ビットシーケンスにマッピングすることを特徴とする
請求項５に記載のパワー制御方法。
【請求項７】
前記下りリンク許可情報におけるＤＬ  ＤＡＩ値に応じて、ＡＣＫ／ＮＡＣＫ応答情報をＡＣＫ／ＮＡＣＫ応答情報シーケンスにマッピングすることは、
空間バインディング操作を採る場合、下りリンク許可情報におけるＤＬ  ＤＡＩ値に応じて、空間バインディング操作後のＡＣＫ／ＮＡＣＫ応答情報をＡＣＫ／ＮＡＣＫ応答情報シーケンスにマッピングし、
空間バインディング操作を採らない場合、下りリンク許可情報におけるＤＬ  ＤＡＩ値に応じて、各ＰＤＳＣＨに対応する２つの伝送ブロックのＡＣＫ／ＮＡＣＫ応答情報をＡＣＫ／ＮＡＣＫ応答情報シーケンスにマッピングし、ここで、第１の伝送ブロックのＡＣＫ／ＮＡＣＫ応答情報が先にマッピングされ、第２の伝送ブロックのＡＣＫ／ＮＡＣＫ応答情報が次にマッピングされ、または、第２の伝送ブロックのＡＣＫ／ＮＡＣＫ応答情報が先にマッピングされ、第１の伝送ブロックのＡＣＫ／ＮＡＣＫ応答情報が次にマッピングされ、
または、空間バインディング操作を採らない場合、下りリンク許可情報におけるＤＬ  ＤＡＩ値に応じて、各ＰＤＳＣＨに対応する２つのコードワードストリームのＡＣＫ／ＮＡＣＫ応答情報をＡＣＫ／ＮＡＣＫ応答情報シーケンスにマッピングし、ここで、ＤＬ  ＤＡＩが奇数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩが偶数である場合、第２のコードワードストリームのＡＣＫ／ＮＡＣＫ応答情報が先にマッピングされ、第１のコードワードストリームのＡＣＫ／ＮＡＣＫ応答情報が次にマッピングされ、または、ＤＬ  ＤＡＩが偶数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩが奇数である場合、第２のコードワードストリームのＡＣＫ／ＮＡＣＫ応答情報が先にマッピングされ、第１のコードワードストリームのＡＣＫ／ＮＡＣＫ応答情報が次にマッピングされることを特徴とする
請求項６に記載のパワー制御方法。
【請求項８】
前記第１の伝送ブロックは、伝送ブロックインデックスが０である伝送ブロックであり、第２の伝送ブロックは、伝送ブロックインデックスが１である伝送ブロックであり、前記第１のコードワードストリームは、コードワードストリームインデックスが０であるコードワードストリームであり、第２のコードワードストリームは、コードワードストリームインデックスが１であるコードワードストリームであることを特徴とする
請求項７に記載のパワー制御方法。
【請求項９】
ＰＵＣＣＨ  ｆｏｒｍａｔ３で伝送する場合に必要なパワー制御パラメータ
0005779277.tif 000202
を確定し、前記
0005779277.tif 000203
を前記パワー制御モジュールに送信するように構成される確定モジュールと、
前記
0005779277.tif 000204
によってＰＵＣＣＨ  ｆｏｒｍａｔ３での伝送に対してパワー制御を行うように構成されるパワー制御モジュールと、
を備え、
空間バインディング操作を採る場合、前記確定モジュールは、ＵＥにより受信された物理下りリンク制御チャネル（ＰＤＣＣＨ）に対応する物理下りリンク共有チャネル（ＰＤＳＣＨ）の個数、半永続スケジューリング（ＳＰＳ）サブフレームの数量、及びＳＰＳにより解放（ｒｅｌｅａｓｅ）された下りリンク制御情報フォーマット（ＤＣＩ  ｆｏｒｍａｔ）の数量の総和を示すためのパラメータ
0005779277.tif 000205
を確定し、
または、空間バインディング操作を採らない場合、前記確定モジュールは、ＵＥにより受信された伝送ブロックの個数、ＰＤＣＣＨロスが発生した伝送ブロックの個数、及びＳＰＳにより解放されたＤＣＩ  ｆｏｒｍａｔの数量の総和を示すためのパラメータ
0005779277.tif 000206
を確定し、
または、空間バインディング操作を採る場合、前記確定モジュールは、ＵＥにより受信されたＰＤＣＣＨに対応するＰＤＳＣＨの個数とＳＰＳにより解放されたＤＣＩ  ｆｏｒｍａｔ数量の総和を示すためのパラメータ
0005779277.tif 000207
を確定し、
または、空間バインディング操作を採らない場合、前記確定モジュールは、ＵＥにより受信された伝送ブロックの個数とＳＰＳにより解放されたＤＣＩ  ｆｏｒｍａｔ数量の総和を示すためのパラメータ
0005779277.tif 000208
を確定することを特徴とするユーザ装置。
【請求項１０】
前記ＵＥが受信したＰＤＣＣＨに対応するＰＤＳＣＨの個数は、ＵＥが、配置（ｃｏｎｆｉｇｕｒｅ）されたすべてのサービングセルに受信したＰＤＣＣＨに対応するＰＤＳＣＨの総数となり、ここで、ＵＥがサービングセルの下りリンクウィンドウに下りリンク許可情報における下りリンク割り当てインデックス（ＤＬ  ＤＡＩ）を検索しなかった場合、ＵＥが前記サービングセルに受信したＰＤＣＣＨに対応するＰＤＳＣＨの個数は、０となり、ＵＥがサービングセルの下りリンクウィンドウにＤＬ  ＤＡＩを検索した場合、ＵＥが前記サービングセルに受信したＰＤＣＣに対応するＰＤＳＣＨの個数は、下りリンクウィンドウに検索された最後のＤＬ  ＤＡＩ値に対応するＰＤＳＣＨの個数となり、前記サービングセルの下りリンクウィンドウが前記サービングセルにおいてＵＥに割り当てられた下りリンクサブフレームで構成されることを特徴とする
請求項９に記載のユーザ装置。
【請求項１１】
前記ＰＤＣＣＨロスが発生した伝送ブロックの個数は、ＵＥに割り当てられたすべてのサービングセルにＰＤＣＣＨロスが発生した伝送ブロックの総数となり、その中、ＵＥがサービングセルの下りリンクウィンドウにＤＬ  ＤＡＩを検出しなかった場合、前記サービングセルにＰＤＣＣＨロスが発生した伝送ブロックの個数は、０となり、ＵＥがサービングセルの下りリンクウィンドウにＤＬ  ＤＡＩを検出した場合、前記サービングセルにＰＤＣＣＨロスが発生した伝送ブロックの個数は、ＵＥが下りリンクウィンドウに検出された最後のＤＬ  ＤＡＩ値に対応するＰＤＳＣＨの個数からＵＥが下りリンクウィンドウに受信したＰＤＣＣＨに対応するＰＤＳＣＨの個数を減算したのち、前記サービングセルに配置（ｃｏｎｆｉｇｕｒｅ）された伝送モードに対応する伝送ブロックの個数を乗算したものとなり、前記サービングセルの下りリンクウィンドウが前記サービングセルにおいてＵＥに割り当てられた下りリンクサブフレームで構成されることを特徴とする
請求項９に記載のユーザ装置。
【発明の詳細な説明】
【技術分野】
【０００１】
本発明は、移動通信システムのパワー制御技術に関し、特に物理上り制御チャネルのパワー制御方法及び装置に関する。
【背景技術】
【０００２】
第３世代パートナーシッププロジェクト（３ＧＰＰ：Ｔｈｅ  ３ｒｄ  Ｇｅｎｅｒａｔｉｏｎ  Ｐａｒｔｎｅｒｓｈｉｐ  Ｐｒｏｊｅｃｔ）長期発展型（ＬＴＥ）システムには、周波数分割複信（ＦＤＤ：Ｆｒｅｑｕｅｎｃｙ  Ｄｉｖｉｓｉｏｎ  Ｄｕｐｌｅｘ）モードと時分割複信（ＴＤＤ：Ｔｉｍｅ  Ｄｉｖｉｓｉｏｎ  Ｄｕｐｌｅｘ）モードのフレーム構造が含まれている。図１に示すように、ＦＤＤモードのフレーム構造には、１個の１０ミリ秒（ｍｓ）の無線フレームが、２０個の長さ０．５ｍｓ、通し番号０〜１９のスロット（ｓｌｏｔ）で構成され、スロット２ｉと２ｉ＋１が長さ１ｍｓのサブフレーム（ｓｕｂｆｒａｍｅ）ｉを構成し、ここで、０≦ｉ≦９とする。ＴＤＤモードのフレーム構造には、１個の１０ｍｓの無線フレームが、２個の長さ５ｍｓの半分フレーム（ｈａｌｆ  ｆｒａｍｅ）で構成され、１個の半分フレームに５個の長さ１ｍｓのサブフレームが含まれ、サブフレームｉが２個の長さ０．５ｍｓのスロット２ｉと２ｉ＋１の組み合わせに定義され、ここで、０≦ｉ≦９とする。
【０００３】
上記の２つのフレーム構造には、ノーマルサイクリックプレフィックス（ＮｏｒｍａｌＣＰ：Ｎｏｒｍａｌ  Ｃｙｃｌｉｃ  Ｐｒｅｆｉｘ）を用いる場合に、１個のスロットに７つのシンボルが含まれ、拡張サイクリックプレフィックス（Ｅｘｔｅｎｄｅｄ  ＣＰ：Ｅｘｔｅｎｄｅｄ  Ｃｙｃｌｉｃ  Ｐｒｅｆｉｘ）を用いる場合に、１個のスロットに６つのシンボルが含まれる。
【０００４】
ＬＴＥシステムでは、上りリンクパワー制御（ｕｐｌｉｎｋ  ｐｏｗｅｒ  ｃｏｎｔｒｏｌ）は、上りパワー制御と略称され、上りリンク物理チャネル（Ｕｐｌｉｎｋ  Ｐｈｙｓｉｃａｌ  Ｃｈａｎｎｅｌ）の送信パワーを制御して、チャネルの経路損失とシャドウ減衰を補正し、そしてセル間の干渉を抑制するようにする。ここで、パワー制御が行われる上りリンク物理チャネルは、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）及び測定基準信号（ＳＲＳ：Ｓｏｕｎｄｉｎｇ  Ｒｅｆｅｒｅｎｃｅ  Ｓｉｇｎａｌ）を含む。ＬＴＥシステムでは、上りリンクパワー制御について、開ループ（ｏｐｅｎ  ｌｏｏｐ）と閉ループ（ｃｌｏｓｅｄ  ｌｏｏｐ）を組み合わせた制御モードを用いる。
【０００５】
ＬＴＥシステムでは、ｉ番目のサブフレームにおけるユーザ装置（ＵＥ：Ｕｓｅｒ  Ｅｑｕｉｐｍｅｎｔ）のＰＵＣＣＨの送信パワーは、式（１）に応じて定義される（単位はｄＢｍである）。
0005779277.tif 000002
（１）
【０００６】
式（１）での各パラメータは、次のように示す。
【０００７】
式（１）での
0005779277.tif 000003
はＵＥにより設定されたＵＥ最大設定出力パワー（Ｔｈｅ  Ｃｏｎｆｉｇｕｒｅｄ  Ｍａｘｉｍｕｍ  ＵＥ  Ｏｕｔｐｕｔ  Ｐｏｗｅｒ）であり、その値の範囲が複数のパラメータによって共同で定められ、ＵＥパワークラス（Ｔｈｅ  ＵＥ  Ｐｏｗｅｒ  Ｃｌａｓｓ）によって確定された最大ＵＥパワー（Ｔｈｅ  Ｍａｘｉｍｕｍ  ＵＥ  Ｐｏｗｅｒ）、システムにより設定された最大設定パワー（ＩＥ  Ｐ−Ｍａｘ）、最大設定出力パワートレランス（ＰＣＭＡＸ  Ｔｏｌｅｒａｎｃｅ）、最大パワー低減（ＭＰＲ：Ｍａｘｉｍｕｍ  Ｐｏｗｅｒ  Ｒｅｄｕｃｔｉｏｎ）及び付加最大パワー削減（Ａ−ＭＰＲ：Ａｄｄｉｔｉｏｎａｌ  Ｍａｘｉｍｕｍ  Ｐｏｗｅｒ  Ｒｅｄｕｃｔｉｏｎ）などを含む。
【０００８】
式（１）での
0005779277.tif 000004
は、開ループパワー制御パラメータであり、１つのセル特定（Ｃｅｌｌ  Ｓｐｅｃｉｆｉｃ）の量
0005779277.tif 000005
と１つのＵＥ特定（ＵＥ  Ｓｐｅｃｉｆｉｃ）の量
0005779277.tif 000006
の和である。
【０００９】
式（１）でのＰＬは、ＵＥが測定して計算した下りリンク経路損失の見積もり（Ｄｏｗｎｌｉｎｋ  Ｐａｔｈｌｏｓｓ  Ｅｓｔｉｍａｔｅ）である。
【００１０】
式（１）での
0005779277.tif 000007
は、ＰＵＣＣＨフォーマットＦ（ＰＵＣＣＨ  ｆｏｒｍａｔ（Ｆ））に関連する１つのパワーオフセットであり、ＬＴＥシステムにおいて、ＰＵＣＣＨ  ｆｏｒｍａｔ１／１ａ／１ｂ／２／２ａ／２ｂの６つのＰＵＣＣＨが定義され、
0005779277.tif 000008
は、ＰＵＣＣＨ  ｆｏｒｍａｔ１ａを基準フォーマットとして定義されるものであり、この基準フォーマットのパワーオフセットは０であり、そして上位層によって設定され、表１に示される。
【００１１】
【表１】
0005779277.tif 000009
【００１２】
式(１)での
0005779277.tif 000010
は、1つのＰＵＣＣＨフォーマットＦに基づく値であり、ここで、
0005779277.tif 000011
はチャネル品質指示子（ＣＱＩ： Ｃｈａｎｎｅｌ  Ｑｕａｌｉｔｙ  Ｉｎｄｉｃａｔｏｒ）の情報ビット数に等しく、
0005779277.tif 000012
はハイブリッド自動再送要求（ＨＡＲＱ：Ｈｙｂｒｉｄ  Ａｕｔｏｍａｔｉｃ  Ｒｅｑｕｅｓｔ）の情報ビット数（Ｔｈｅ  Ｎｕｍｂｅｒ  ｏｆ  ＨＡＲＱ  Ｂｉｔｓ）に等しい。
【００１３】
ＰＵＣＣＨ  ｆｏｒｍａｔ１／１ａ／１ｂに対して、
0005779277.tif 000013
とする。
【００１４】
ノーマルサイクリックプレフィックスのＰＵＣＣＨ  ｆｏｒｍａｔ２／２ａ／２ｂに対して、
0005779277.tif 000014
とする。
【００１５】
拡張サイクリックプレフィックスのＰＵＣＣＨ  ｆｏｒｍａｔ２に対して、
0005779277.tif 000015
とする。
【００１６】
式(１)での
0005779277.tif 000016
は、ＰＵＣＣＨの現在のパワー制御調整状態（Ｔｈｅ  Ｃｕｒｒｅｎｔ  ＰＵＣＣＨ  Ｐｏｗｅｒ  Ｃｏｎｒｏｌ  Ａｄｊｕｓｔｍｅｎｔ  Ｓｔａｔｅ）と呼ばれ、式(２)に示される。
0005779277.tif 000017
（2）
【００１７】
式(２)では、ＦＤＤシステムに対して、
0005779277.tif 000018
、
0005779277.tif 000019
とする。即ちＦＤＤシステムに対して、サブフレームｉにおけるＰＵＣＣＨのパワー制御調整状態（即ち現在のパワー制御調整状態）
0005779277.tif 000020
は、サブフレームｉ−１におけるパワー制御調整状態
0005779277.tif 000021
とサブフレームｉ−４における基地局により指示された送信パワー制御命令（ＴＰＣ  ｃｏｍｍａｎｄ）
0005779277.tif 000022
の積算値である。ＴＤＤシステムに対して、
0005779277.tif 000023
と
0005779277.tif 000024
の値がシステムの上りリンク及び下りリンク構成（Ｕｐｌｉｎｋ−Ｄｏｗｎｌｉｎｋ  ｃｏｎｆｉｇｕｒａｔｉｏｎｓ）に関する。即ちＴＤＤシステムに対して、サブフレームｉにおけるＰＵＣＣＨのパワー制御調整状態
0005779277.tif 000025
は、サブフレームｉ−１におけるパワー制御調整状態
0005779277.tif 000026
とサブフレーム
0005779277.tif 000027
における基地局により指示された複数の送信パワー制御命令
0005779277.tif 000028
の和の積算値である。ＴＤＤシステムに対して、サブフレームｉが１つの上りリンクサブフレームではないと、
0005779277.tif 000029
となる。
【００１８】
式(２)では、送信パワー制御命令
0005779277.tif 000030
は、ＵＥ特定（ＵＥ  Ｓｐｅｃｉｆｉｃ）の１つの閉ループ補正値であり、基地局により物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介してターゲットＵＥに送信される。ＵＥが、あるサブフレームにＴＰＣ  ｃｏｍｍａｎｄを検出しないと、
0005779277.tif 000031
となる。
【００１９】
ＰＵＣＣＨは、スケジューリング要求（ＳＲ：Ｓｃｈｅｄｕｌｉｎｇ  Ｒｅｑｕｅｓｔ）、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）の肯定応答／否定応答（ＡＣＫ／ＮＡＣＫ：ｐｏｓｉｔｉｖｅ  ａｃｋｎｏｗｌｅｄｇｅｍｅｎｔ／ｎｅｇａｔｉｖｅ  ａｃｋｎｏｗｌｅｄｇｅｍｅｎｔ）及びＵＥからフィードバックされた下リリンクチャネル状態情報（ＣＳＩ：Ｃｈａｎｎｌ  Ｓｔａｔｅ  Ｉｎｆｏｒｍａｔｉｏｎ）が含まれる上りリンク制御情報（ＵＣＩ：Ｕｐｌｉｎｋ  Ｃｏｎｔｒｏｌ  Ｉｎｆｏｒｍａｔｉｏｎ）を搬送することに用いられる。ここで、ＣＳＩは、チャネル品質指示子（ＣＱＩ：Ｃｈａｎｎｅｌ  Ｑｕａｌｉｔｙ  Ｉｎｄｉｃａｔｉｏｎ）、プリコーディング行列インジケータ（ＰＭＩ：Ｐｒｅｃｏｄｉｎｇ  Ｍａｔｒｉｘ  Ｉｎｄｉｃａｔｏｒ）とランク指示子を含む。
【００２０】
先進的なＬＴＥ（ＬＴＥ−Ａ：ＬＴＥ−Ａｄｖａｎｃｅｄ）システムは、ＬＴＥシステムの次世代発展型システムである。より大きなシステム帯域幅をサポートするために、且つＬＴＥ従来標準を下位互換するように行なう必要があるため、キャリアアグリゲーション技術を導入する。図２は従来技術によるＬＴＥ−Ａシステムにキャリアアグリゲーションを実現することを示す図である。図２に示すように、ＬＴＥ−Ａシステムは、キャリアアグリゲーション（Ｃａｒｒｉｅｒ  Ａｇｇｒｅｇａｔｉｏｎ）技術を用いて伝送帯域幅を拡張し、集約された各キャリアは１つのコンポーネントキャリア（ＣＣ：Ｃｏｍｐｏｎｅｎｔ  Ｃａｒｒｉｅｒ）と呼ばれ、１つのサービングセル（Ｓｅｒｖｉｎｇ  Ｃｅｌｌ）とも呼ばれ、複数のコンポーネントキャリアは連続してもよく、連続しなくてもよく、図２において、連続しない場合、コンポーネントキャリアの間にはコンポーネントキャリア間隔があり、各コンポーネントキャリアが同じバンド（Ｏｐｅｒａｔｉｎｇ  Ｂａｎｄ）に位置してもよく、異なるバンドに位置してもよく、且つ各コンポーネントキャリアは複数のサブキャリアを含む。
【００２１】
大きな負荷のＡＣＫ／ＮＡＣＫ応答情報を伝送するために、ＬＴＥ−Ａシステムに新しいＰＵＣＣＨフォーマットが導入され、ＰＵＣＣＨフォーマット３（ＰＵＣＣＨ  ｆｏｒｍａｔ３）と呼ばれる。従来技術では、ＦＤＤシステムに基づき、フィードバックすべきＡＣＫ／ＮＡＣＫ応答情報は最も多くは１０ビットであり、ＴＤＤシステムに基づき、フィードバックすべきＡＣＫ／ＮＡＣＫ応答情報は最も多くは２０ビットであり、フィードバックされた応答情報が２０ビットより多いと、２つのコードワードストリームが含まれるすべてのＰＤＳＣＨに対応するＡＣＫ／ＮＡＣＫ応答情報に対して空間バンドリング（Ｓｐａｔｉａｌ  Ｂｕｎｄｌｉｎｇ）操作を行い、即ち対応するＡＣＫ／ＮＡＣＫ応答情報に対して論理積演算を行う、と定められている。ＰＵＣＣＨ  ｆｏｒｍａｔ３で伝送する場合、フィードバックされたビット数が１１ビット以下であると、リード-マラー符号（ＲＭ：Ｒｅｅｄ−Ｍｕｌｌｅｒ）による符号化モードを用い、フィードバックされたビット数が１１より大きいと、デュアルリード-マラー符号（Ｄｕａｌ  ＲＭ）による符号化モードを用いて、フィードバックすべきＡＣＫ／ＮＡＣＫ応答情報を２つの部分に分けて、それぞれＲＭで符号化し、その後、カスケードにインターリーブして伝送するが、どのようにＡＣＫ／ＮＡＣＫ応答情報を分けるかについて、従来技術では、まだ具体的な解決方法が与えられていない。
【００２２】
従来技術では、ＬＴＥ−Ａシステムにおいて、ＵＥが複数の設定された（Ｃｏｎｆｉｇｕｒｅｄ）または活性化された（Ａｃｔｉｖａｔｅｄ）サービングセルに同時に複数のＰＤＳＣＨを受信することができる、と定められている。複数のＰＤＳＣＨの応答情報ＡＣＫ／ＮＡＣＫは、ＵＥにより特定された１つのコンポーネントキャリアで１つのＰＵＣＣＨを介して送信される。当該ＵＥにより特定されたコンポーネントキャリアは、プライマリーコンポーネントキャリア（ＰＣＣ：Ｐｒｉｍａｒｙ  Ｃｏｍｐｏｎｅｎｔ  Ｃａｒｒｉｅｒ）と呼ばれ、プライマリーセル（Ｐｃｅｌｌ：Ｐｒｉｍａｒｙ  Ｃｅｌｌ）とも呼ばれる。
【００２３】
ＬＴＥ−Ａシステムに対して、式(３)に応じてＰＵＣＣＨのパワー制御を行って、ｉ番目のサブフレームにＰＵＣＣＨ  ｆｏｒｍａｔ３で伝送するパワーが
0005779277.tif 000032
で示される。
0005779277.tif 000033
（3）
【００２４】
ここで、
0005779277.tif 000034
は、サービングセルｃにおけるｉ番目のサブフレーム上の最大送信パワーであり、
0005779277.tif 000035
は、開ループパワー制御パラメータであり、
0005779277.tif 000036
は、ＰＵＣＣＨフォーマットＦに関連するパワーオフセットであり、
0005779277.tif 000037
は、サービングセルｃ上の、ＵＥが測定して計算した下りリンク経路損失の見積もりであり、
0005779277.tif 000038
は、異なるＰＵＣＣＨフォーマット
0005779277.tif 000039
によって設定された伝送ダイバーシチパワー補正値であって、その値が｛０、−１、−２、−３｝ｄＢであってよいが、これらに限られず、
0005779277.tif 000040
は、ＰＵＣＣＨフォーマットに基づく値であり、従来技術では、ＰＵＣＣＨ  ｆｏｒｍａｔ３がシングルＲＭで符号化され且つ伝送ダイバーシチが設定されない場合、
0005779277.tif 000041
となり、シングルＲＭで符号化されたＰＵＣＣＨ  ｆｏｒｍａｔ３が用いられ且つ伝送ダイバーシチが設定された場合、または、デュアルＲＭで符号化されたＰＵＣＣＨ  ｆｏｒｍａｔ３が用いられた場合、
0005779277.tif 000042
となり、ここで、現在のサブフレームがＳＲ伝送サブフレームに構成されると、
0005779277.tif 000043
となり、そうでなければ、
0005779277.tif 000044
となり、
0005779277.tif 000045
がチャネル品質指示子の情報ビット数に等しいと定められている。
【００２５】
ＦＤＤシステムに対して、
0005779277.tif 000046
は、受信された伝送ブロックの個数を示すが、ＴＤＤシステムに対して、従来技術ではまだ
0005779277.tif 000047
の確定方法を与えず、それによって、式(３)に応じてＰＵＣＣＨ  ｆｏｒｍａｔ３のパワー制御を実現することができない。
【発明の概要】
【発明が解決しようとする課題】
【００２６】
これを鑑みて、本発明の主要な目的は、ＰＵＣＣＨ  ｆｏｒｍａｔ３で伝送する場合のパワー制御問題を効果的に解決するように、物理上りリンク制御チャネルのパワー制御方法及び装置を提供することにある。
【課題を解決するための手段】
【００２７】
前記目的を達成するために、本発明の技術的スキームは、以下のように実現される。
【００２８】
本発明に係る物理上りリンク制御チャネルのパワー制御方法は、
ＵＥがＰＵＣＣＨ  ｆｏｒｍａｔ３で伝送する場合に必要なパワー制御パラメータ
0005779277.tif 000048
を確定し、前記
0005779277.tif 000049
によってＰＵＣＣＨ  ｆｏｒｍａｔ３での伝送に対してパワー制御を行うことを含む。
【００２９】
前記スキームにおいて、前記ＵＥがＰＵＣＣＨ  ｆｏｒｍａｔ３で伝送する場合に必要なパワー制御パラメータ
0005779277.tif 000050
を確定することは、空間バインディング操作を採る場合、
0005779277.tif 000051
【００３０】
は、ＵＥにより受信されたＰＤＣＣＨに対応するＰＤＳＣＨの個数、半永続スケジューリング（ＳＰＳ：Ｓｅｍｉ−Ｐｅｒｓｉｓｔｅｎｔ  Ｓｃｈｅｄｕｌｉｎ）サブフレームの数量、及びＳＰＳにより解放（ｒｅｌｅａｓｅ）された下りリンク制御情報フォーマット（ＤＣＩ  ｆｏｒｍａｔ）の数量の総和となる。
【００３１】
前記スキームにおいて、前記ＵＥがＰＵＣＣＨ  ｆｏｒｍａｔ３で伝送する場合に必要なパワー制御パラメータ
0005779277.tif 000052
【００３２】
を確定することは、空間バインディング操作を採らない場合、
0005779277.tif 000053
【００３３】
は、ＵＥにより受信された伝送ブロックの個数、ＰＤＣＣＨロスが発生した伝送ブロックの個数、及びＳＰＳにより解放されたＤＣＩ  ｆｏｒｍａｔの数量の総和となる。
【００３４】
前記スキームにおいて、前記ＵＥが受信したＰＤＣＣＨに対応するＰＤＳＣＨの個数は、ＵＥが、配置（ｃｏｎｆｉｇｕｒｅ）されたすべてのサービングセルに受信したＰＤＣＣＨに対応するＰＤＳＣＨの総数となり、ここで、ＵＥがサービングセルの下りリンクウィンドウに下りリンク許可情報における下りリンク割り当てインデックス（ＤＬＤＡＬ）を検索しなかった場合、ＵＥが前記サービングセルに受信したＰＤＣＣＨに対応するＰＤＳＣＨの個数は、０となり、ＵＥがサービングセルの下りリンクウィンドウにＤＬ  ＤＡＩを検索した場合、ＵＥが前記サービングセルに受信したＰＤＣＣに対応するＰＤＳＣＨの個数は、下りリンクウィンドウに検索された最後のＤＬ  ＤＡＩ値に対応するＰＤＳＣＨの個数となり、前記サービングセルの下りリンクウィンドウが前記サービングセルにおいてＵＥに割り当てられた下りリンクサブフレームで構成される。
【００３５】
前記スキームにおいて、ＰＤＣＣＨロスが発生した伝送ブロックの個数は、ＵＥに割り当てられたすべてのセルにＰＤＣＣＨロスが発生した伝送ブロックの総数となり、ここで、ＵＥがサービングセルの下りリンクウィンドウにＤＬ  ＤＡＩを検出しなかった場合、前記サービングセルにＰＤＣＣＨロスが発生した伝送ブロックの個数は、０となり、ＵＥがサービングセルの下りリンクウィンドウにＤＬ  ＤＡＩを検出した場合、前記サービングセルにＰＤＣＣＨロスが発生した伝送ブロックの個数は、ＵＥが下りリンクウィンドウに検出された最後のＤＬ  ＤＡＩ値に対応するＰＤＳＣＨの個数からＵＥが下りリンクウィンドウに受信したＰＤＣＣＨに対応するＰＤＳＣＨの個数を減算したのち、前記サービングセルに配置（ｃｏｎｆｉｇｕｒｅ）された伝送モードに対応する伝送ブロックの個数を乗算したものとなり、前記サービングセルの下りリンクウィンドウが前記サービングセルにおいてＵＥに割り当てられた下りリンクサブフレームで構成される。
【００３６】
前記スキームにおいて、前記ＵＥがＰＵＣＣＨ  ｆｏｒｍａｔ３で伝送する場合に必要なパワー制御パラメータ
0005779277.tif 000054
を確定することは、空間バインディング操作をとる場合、
0005779277.tif 000055
は、ＵＥにより受信されたＰＤＣＣＨに対応するＰＤＳＣＨの個数とＳＰＳにより解放されたＤＣＩ  ｆｏｒｍａｔの数量の総和となる。
【００３７】
前記スキームにおいて、前記ＵＥがＰＵＣＣＨ  ｆｏｒｍａｔ３で伝送する場合に必要なパワー制御パラメータ
0005779277.tif 000056
を確定することは、空間バインディング操作を採らない場合、
0005779277.tif 000057
は、ＵＥにより受信された伝送ブロックの個数とＳＰＳにより解放されたＤＣＩ  ｆｏｒｍａｔの数量の総和を示す。
【００３８】
前記スキームにおいて、前記
0005779277.tif 000058
によってＰＵＣＣＨ  ｆｏｒｍａｔ３での伝送にパワー制御を行うことは、サービングセルｃのｉ番目のサブフレームにＰＵＣＣＨ  ｆｏｒｍａｔ３で伝送する場合、前記
0005779277.tif 000059
を次の式に代入して、ｉ番目のサフレームにＰＵＣＣＨ  ｆｏｒｍａｔ３で伝送するパワー
0005779277.tif 000060
を得る。
0005779277.tif 000061
【００３９】
ここで、
0005779277.tif 000062
は、サービングセルｃにけるｉ番目のサブフレーム上の最大送信パワーであり、
0005779277.tif 000063
は、開ループ制御パラメータであり、
0005779277.tif 000064
は、ＰＵＣＣＨフォーマットＦに関連するパワーオフセットであり、
0005779277.tif 000065
は、サービングセルｃ上のＵＥが測定して計算した下りリンク経路損失の見積もりであり、
0005779277.tif 000066
は、異なるＰＵＣＣＨフォーマットＦ′によって設定された伝送ダイバーシチパワー補正値であり、
0005779277.tif 000067
は、ＰＵＣＣＨフォーマットに基づく値であり、シングルリード-マラー（ＲＭ）で符号化されたＰＵＣＣＨ  ｆｏｒｍａｔ３が用いられ且つ伝送ダイバーシチが配置（ｃｏｎｆｉｇｕｒｅ）されない場合、
0005779277.tif 000068
となり、シングルＲＭで符号化されたＰＵＣＣＨ  ｆｏｒｍａｔ３が用いられた且つ伝送ダイバーシチが配置（ｃｏｎｆｉｇｕｒｅ）された場合、または、デュアルＲＭで符号化されたＰＵＣＣＨ  ｆｏｒｍａｔ３が用いられた場合、
0005779277.tif 000069
となり、ここで、現在のサブフレームがＳＲ伝送サブフレームに構成されると、
0005779277.tif 000070
となり、そうでなければ、
0005779277.tif 000071
となり、
0005779277.tif 000072
はチャネル品質指示子の情報ビット数に等しい。
【００４０】
前記スキームにおいて、前記ＰＵＣＣＨ  ｆｏｒｍａｔ３での伝送にＤｕａｌ  ＲＭ符号化モードを用いる場合、当該方法は、さらに、送信すべきＡＣＫ／ＮＡＣＫ応答情報を、予め定義されたルールに応じて２つのＡＣＫ／ＮＡＣＫ応答情報ビットシーケンスにマッピングし、ＲＭ符号による符号化モードでそれぞれ各ＡＣＫ／ＮＡＣＫ応答情報ビットシーケンスを符号化し、その後、符号化後の２つのＡＣＫ／ＮＡＣＫ応答情報ビットシーケンスをカスケードにインターリーブして伝送することを含む。
【００４１】
前記スキームにおいて、送信すべきＡＣＫ／ＮＡＣＫ応答情報を、予め定義されたルールに応じて２つのＡＣＫ／ＮＡＣＫ応答情報ビットシーケンスにマッピングすることは、ＵＥがフィードバックすべきＡＣＫ／ＮＡＣＫ応答情報を確定し、サービングセルインデックスの低いから高い順にＡＣＫ／ＮＡＣＫ応答情報に対応するＡＣＫ／ＮＡＣＫ応答情報シーケンスを得て、同じサービングセルに対して、下りリンク許可情報におけるＤＬ  ＤＡＩ値に応じて、ＡＣＫ／ＮＡＣＫ応答情報をＡＣＫ／ＮＡＣＫ応答情報シーケンスにマッピングし、ここで、前記ＡＣＫ／ＮＡＣＫ応答情報におけるＳＲＳにより解放されたＡＣＫ／ＮＡＣＫ応答情報がそれの存在するサービングセルからフィードバックされたＡＣＫ／ＮＡＣＫ応答情報の最後に位置し、その後、ＡＣＫ／ＮＡＣＫ応答情報シーケンスにおけるＡＣＫ／ＮＡＣＫ応答情報をパリティ位置に応じてそれぞれ２つのＡＣＫ／ＮＡＣＫ応答情報ビットシーケンスにマッピングする。
【００４２】
前記スキームにおいて、下りリンク許可情報におけるＤＬ  ＤＡＩ値に応じて、ＡＣＫ／ＮＡＣＫ応答情報をＡＣＫ／ＮＡＣＫ応答情報シーケンスにマッピングすることは、
空間バインディング操作を採る場合、下りリンク許可情報におけるＤＬ  ＤＡＩ値に応じて、空間バインディング操作後のＡＣＫ／ＮＡＣＫ応答情報をＡＣＫ／ＮＡＣＫ応答情報シーケンスにマッピングし、
空間バインディング操作を採らない場合、下りリンク許可情報におけるＤＬ  ＤＡＩ値に応じて、各ＰＤＳＣＨに対応する２つの伝送ブロックのＡＣＫ／ＮＡＣＫ応答情報をＡＣＫ／ＮＡＣＫ応答情報シーケンスにマッピングし、ここで、第１の伝送ブロックのＡＣＫ／ＮＡＣＫ応答情報が先にマッピングされ、第２の伝送ブロックのＡＣＫ／ＮＡＣＫ応答情報が次にマッピングされ、または、第２の伝送ブロックのＡＣＫ／ＮＡＣＫ応答情報が先でマッピングされ、第１の伝送ブロックのＡＣＫ／ＮＡＣＫ応答情報が次にマッピングされ、
または、空間バインディング操作を採らない場合、下りリンク許可情報におけるＤＬ  ＤＡＩ値に応じて、各ＰＤＳＣＨに対応する２つのコードワードストリームのＡＣＫ／ＮＡＣＫ応答情報をＡＣＫ／ＮＡＣＫ応答情報シーケンスにマッピングし、ここで、ＤＬ  ＤＡＩが奇数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩが偶数である場合、第２のコードワードストリームのＡＣＫ／ＮＡＣＫ応答情報が先にマッピングされ、第１のコードワードストリームのＡＣＫ／ＮＡＣＫ応答情報が次にマッピングされ、または、ＤＬ  ＤＡＩが偶数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩが奇数である場合、第２のコードワードストリームのＡＣＫ／ＮＡＣＫ応答情報が先にマッピングされ、第１のコードワードストリームのＡＣＫ／ＮＡＣＫ応答情報が次にマッピングされる。
【００４３】
前記スキームにおいて、前記第１の伝送ブロックは、伝送ブロックインデックスが０である伝送ブロックであり、第２の伝送ブロックは、伝送ブロックインデックスが１である伝送ブロックであり、前記第１のコードワードストリームは、コードワードストリームインデックスが０であるコードワードストリームであり、第２のコードワードストリームは、コードワードストリームインデックスが１であるコードワードストリームである。
【００４４】
本発明に係る物理上りリンク制御チャネルのパワー制御装置は、
ＰＵＣＣＨ  ｆｏｒｍａｔ３で伝送する場合に必要なパワー制御パラメータ
0005779277.tif 000073
を確定し、そして前記
0005779277.tif 000074
を前記パワー制御モジュールに送信するように構成される確定モジュールと、
前記
0005779277.tif 000075
によってＰＵＣＣＨ  ｆｏｒｍａｔ３での伝送に対してパワー制御を行うように構成されるパワー制御モジュールとを備える。
【発明の効果】
【００４５】
本発明に係る物理上りリンク制御チャネルのパワー制御方法及び装置において、ＵＥがＰＵＣＣＨ  ｆｏｒｍａｔ３で伝送する場合に必要なパワー制御パラメータ
0005779277.tif 000076
を確定し、前記
0005779277.tif 000077
によってＰＵＣＣＨ  ｆｏｒｍａｔ３での伝送に対してパワー制御を行うことにより、ＴＤＤシステムに対して、ＰＵＣＣＨ  ｆｏｒｍａｔ３で伝送する場合に必要なパワー制御パラメータ
0005779277.tif 000078
を確定し、ＰＵＣＣＨ  ｆｏｒｍａｔ３でフィードバックする場合のパワー制御問題を効果的に解決することができる。また、本発明のスキームにおいて、Ｄｕａｌ  ＲＭ符号による符号化モードでＰＵＣＣＨ  ｆｏｒｍａｔ３で伝送することにより、ＰＵＣＣＨにおける応答情報の伝送を実現する。
【図面の簡単な説明】
【００４６】
【図１】従来技術によるＦＤＤシステムにおけるフレーム構造を示す図である。
【図２】従来技術においてキャリアアグリゲーションを示す図である。
【図３】本発明に係る物理上りリンク制御チャネルのパワー制御方法を実現するフローチャートである。
【図４】本発明の実施形態１に係るＴＤＤシステムにおいて構成されたサービングセルと下リリンクサブフレームの対応関係を示す図である。
【図５】本発明の実施形態２のＴＤＤシステムにおいて構成されたサービングセルと下リリンクサブフレームの対応関係を示す図である。
【発明を実施するための形態】
【００４７】
本発明の基本思想は、ＵＥがＰＵＣＣＨ  ｆｏｒｍａｔ３で伝送する場合に必要なパワー制御パラメータ
0005779277.tif 000079
を確定し、前記
0005779277.tif 000080
によってＰＵＣＣＨ  ｆｏｒｍａｔ３での伝送に対してパワー制御を行うことにある。
【００４８】
以下、図面及び具体的な実施形態を参照しながら本発明をさらに詳細に説明する。
【００４９】
本発明に係る物理上りリンク制御チャネルのパワー制御方法は、図３に示すように、以下のいくつかのステップを含む。
【００５０】
ステップ３０１：ＵＥは、ＰＵＣＣＨ  ｆｏｒｍａｔ３で伝送する場合に必要なパワー制御パラメータ
0005779277.tif 000081
を確定する。
【００５１】
具体的には、空間バインディング操作を採る場合、
0005779277.tif 000082
は、ＵＥが受信したＰＤＣＣＨに対応するＰＤＳＣＨの個数、ＳＰＳサブフレームの数量とＳＰＳにより解放（ｒｅｌｅａｓｅ）されたＤＣＩ  ｆｏｒｍａｔの数量の総和となり、式(４)に示される。
0005779277.tif 000083
(４)
【００５２】
ここで、
0005779277.tif 000084
は、構成されたサービングセルの個数を示し、
0005779277.tif 000085
は、ＵＥがサービングセル
0005779277.tif 000086
に受信したＰＤＣＣＨに対応するＰＤＳＣＨの個数を示し、
0005779277.tif 000087
、
0005779277.tif 000088
は、ＵＥがプライマリーサービングセルに受信したＳＰＳサブフレームの数量を示し、前記
0005779277.tif 000089
の値が０または１であり、
0005779277.tif 000090
は、ＵＥがプライマリーサービングセルに受信したＳＰＳにより解放されたＤＣＩ  Ｆｏｒｍａｔの数量を示し、前記
0005779277.tif 000091
の値は０または１である。
【００５３】
ここで、前記ＵＥが受信したＰＤＣＣＨに対応するＰＤＳＣＨの個数は、一般的に、ＵＥが構成されたすべてのサービングセルに受信したＰＤＣＣＨに対応するＰＤＳＣＨの総数であり、ここで、ＵＥがサービングセル
0005779277.tif 000092
の下りリンクウィンドウに下りリンク許可情報における下りリンク割り当てインデックス（ＤＬ  ＤＡＩ）を検出しなかった場合、
0005779277.tif 000093
となり、ＵＥがサービングセル
0005779277.tif 000094
の下りリンクウィンドウに下りリンク許可情報における下りリンク割り当てインデックス（ＤＬ  ＤＡＩ）を検出した場合、
0005779277.tif 000095
となり、
0005779277.tif 000096
は、サービングセル
0005779277.tif 000097
の下りリンクウィンドウに検出された最後のＤＬ  ＤＡＩ値に対応するＰＤＳＣＨの個数を示し、前記サービングセル
0005779277.tif 000098
の下りリンクウィンドウがサービングセル
0005779277.tif 000099
においてＵＥに割り当てられた下りリンクサブフレームで構成される。
【００５４】
空間バインディング操作を採らない場合、
0005779277.tif 000100
は、ＵＥが受信した伝送ブロックの個数、ＰＤＣＣＨロスが発生した伝送ブロックの個数とＳＰＳにより解放されたＤＣＩ  ｆｏｒｍａｔの数量の総和となり、式(５)に示される。
0005779277.tif 000101
(５)
【００５５】
ここで、
0005779277.tif 000102
は、構成されたサービングセルの個数を示し、
0005779277.tif 000103
は、ＵＥがサービングセル
0005779277.tif 000104
に受信した伝送ブロックの個数を示し、
0005779277.tif 000105
は、ＵＥがサービングセル
0005779277.tif 000106
にＰＤＣＣＨロスが発生した伝送ブロックの個数を示し、
0005779277.tif 000107
、
0005779277.tif 000108
は、ＵＥがプライマリーサービングセルに受信したＳＰＳにより解放されたＤＣＩ  Ｆｏｒｍａｔの数量を示し、前記
0005779277.tif 000109
の値は０または１である。
【００５６】
ここで、ＰＤＣＣＨロスが発生した前記伝送ブロックの個数は、一般的に、ＵＥに割り当てられたすべてのサービングセルにＰＤＣＣＨロスが発生した伝送ブロックの総数であり、ここで、ＵＥがサービングセル
0005779277.tif 000110
の下りリンクウィンドウに下りリンク許可情報のＤＬ  ＤＡＩを検出しなかった場合、
0005779277.tif 000111
となり、ＵＥがサービングセル
0005779277.tif 000112
の下りリンクウィンドウにＤＬ  ＤＡＩを検出した場合、
0005779277.tif 000113
となり、ここで、
0005779277.tif 000114
は、ＵＥがセル
0005779277.tif 000115
の下りリンクウィンドウに受信したＰＤＣＣＨに対応するＰＤＳＣＨの個数を示し、
0005779277.tif 000116
は、サービングセル
0005779277.tif 000117
の下りリンクウィンドウに検出された最後のＤＬ  ＤＡＩ値に対応するＰＤＳＣＨの個数を示し、
0005779277.tif 000118
は、サービングセル
0005779277.tif 000119
に割り当てられた伝送モードに対応する伝送ブロックの個数を示し、前記
0005779277.tif 000120
の値は１または２であり、前記サービングセル
0005779277.tif 000121
の下りリンクウィンドウがサービングセル
0005779277.tif 000122
においてＵＥに割り当てられた下りリンクサブフレームで構成される。
【００５７】
本ステップにおいて、前記ＰＤＣＣＨ  ｆｏｒｍａｔ３で伝送する場合に必要なパワー制御パラメータ
0005779277.tif 000123
を確定することは、空間バインディング操作を採る場合、
0005779277.tif 000124
は、ＵＥが受信したＰＤＣＣＨに対応するＰＤＳＣＨ個数とＳＰＳにより解放されたＤＣＩ  ｆｏｒｍａｔの数量の総数であってよく、式（６）に示される。
0005779277.tif 000125
（６）
【００５８】
ここで、
0005779277.tif 000126
は、構成されたサービングセルの個数を示し、
0005779277.tif 000127
は、ＵＥがサービングセル
0005779277.tif 000128
に受信したＰＤＣＣＨに対応するＰＤＳＣＨの個数を示し、
0005779277.tif 000129
となり、
0005779277.tif 000130
は、ＵＥがプライマリーサービングセルに受信したＳＰＳにより解放されたＤＣＩ  Ｆｏｒｍａｔの数量を示し、前記
0005779277.tif 000131
の値は０または１である。
【００５９】
空間バインディング操作を採らない場合、
0005779277.tif 000132
は、ＵＥが受信した伝送ブロックの個数とＳＰＳにより解放されたＤＣＩ  ｆｏｒｍａｔの数量の総数となり、式（７）に示される。
0005779277.tif 000133
（７）
【００６０】
ここで、
0005779277.tif 000134
【００６１】
は、構成されたサービングセルの個数を示し、
0005779277.tif 000135
は、ＵＥがサービングセル
0005779277.tif 000136
に受信した伝送ブロックの個数を示し、
0005779277.tif 000137
は、ＵＥがプライマリーサービングセルに受信したＳＰＳにより解放されたＤＣＩ  Ｆｏｒｍａｔの数量を示し、前記
0005779277.tif 000138
の値は０または１である。
【００６２】
ステップ３０２：ＵＥは、前記
0005779277.tif 000139
によってＰＤＣＣＨ  ｆｏｒｍａｔ３での伝送に対してパワー制御を行う。
【００６３】
具体的には、ＵＥは、前記
0005779277.tif 000140
を式（３）に代入して、式（３）に応じてＰＵＣＣＨ  ｆｏｒｍａｔ３での伝送に対してパワー制御を行い、例えば、サービングセルｃのｉ番目のサブフレームにＰＵＣＣＨ  ｆｏｒｍａｔ３で伝送する場合、前記
0005779277.tif 000141
を式（３）に代入してｉ番目のサブフレームにＰＵＣＣＨ  ｆｏｒｍａｔ３で伝送するパワー
0005779277.tif 000142
を得る。
【００６４】
さらに、前記スキームにおいて、ＰＵＣＣＨ  ｆｏｒｍａｔ３でＤｕａｌ  ＲＭ符号化モードを用いてＡＣＫ／ＮＡＣＫ応答情報を送信する場合、この方法は、さらに、送信すべきＡＣＫ／ＮＡＣＫ応答情報を、予め定義されたルールに応じて２つのＡＣＫ／ＮＡＣＫ応答情報ビットシーケンスにマッピングし、ＲＭ符号符号化モードを用いてそれぞれ各ＡＣＫ／ＮＡＣＫ応答情報ビッドシーケンスを符号化して、その後、符号化後の２つのＡＣＫ／ＮＡＣＫ応答情報ビッドシーケンスをカスケードにインターリーブして伝送することを含む。
【００６５】
前記送信すべきＡＣＫ／ＮＡＣＫ応答情報を予め定義されたルールに応じて２つのＡＣＫ／ＮＡＣＫ応答情報ビットシーケンスにマッピングすることは、ＵＥが、構成されたサービングセルの個数、各サービングセルに割り当てられた伝送モード、及び上りリンクと下りリンクのサブフレーム間の割合関係に応じてフィードバックすべきＡＣＫ／ＮＡＣＫ応答情報を確定し、サービングセルインデックスの低いものから高いものの順でＡＣＫ／ＮＡＣＫ応答情報に対応するＡＣＫ／ＮＡＣＫ応答情報シーケンスを得て、同じサービングセルに対して、下りリンク許可情報におけるＤＬ  ＤＡＩ値に応じて、ＡＣＫ／ＮＡＣＫ応答情報をＡＣＫ／ＮＡＣＫ応答情報シーケンスにマッピングし、ここで、前記ＡＣＫ／ＮＡＣＫ応答情報におけるＳＰＳにより解放されたＡＣＫ／ＮＡＣＫ応答情報がその利用するサービングセルからフィードバックされたＡＣＫ／ＮＡＣＫ応答情報の最後に位置し、その後、ＡＣＫ／ＮＡＣＫ応答情報シーケンスにおけるＡＣＫ／ＮＡＣＫ応答情報を、パリティ位置に応じてそれぞれ２つのＡＣＫ／ＮＡＣＫ応答情報ビットシーケンスにマッピングし、例えば、ＡＣＫ／ＮＡＣＫ応答情報シーケンスにおける奇数位置にあるＡＣＫ／ＮＡＣＫ応答情報を１番目のＡＣＫ／ＮＡＣＫ応答情報ビットシーケンスにマッピングし、偶数位置にあるＡＣＫ／ＮＡＣＫ応答情報を２番目のＡＣＫ／ＮＡＣＫ応答情報ビットシーケンスにマッピングし、または、ＡＣＫ／ＮＡＣＫ応答情報シーケンスにおける偶数位置にあるＡＣＫ／ＮＡＣＫ応答情報を１番目のＡＣＫ／ＮＡＣＫ応答情報ビッドシーケンスにマッピングし、奇数位置にあるＡＣＫ／ＮＡＣＫ応答情報を２番目のＡＣＫ／ＮＡＣＫ応答情報ビットシーケンスにマッピングする。
【００６６】
前記同じサービングセルに対して、下りリンク許可情報におけるＤＬ  ＤＡＩ値に応じて、ＡＣＫ／ＮＡＣＫ応答情報をＡＣＫ／ＮＡＣＫ応答情報シーケンスにマッピングすることは、一般的に、
空間バインディング操作を採る場合、下りリンク許可情報におけるＤＬ  ＤＡＩ値に応じて、空間バインディング操作後のＡＣＫ／ＮＡＣＫ応答情報をＡＣＫ／ＮＡＣＫ応答情報シーケンスにマッピングし、
空間バインディング操作を採らない場合、下りリンク許可情報におけるＤＬ  ＤＡＩ値に応じて、各ＰＤＳＣＨに対応する２つの伝送ブロックのＡＣＫ／ＮＡＣＫ応答情報をＡＣＫ／ＮＡＣＫ応答情報シーケンスにマッピングし、ここで、第１の伝送ブロックのＡＣＫ／ＮＡＣＫ応答情報が先にマッピングされ、第２の伝送ブロックのＡＣＫ／ＮＡＣＫ応答情報が次にマッピングされ、または、第２の伝送ブロックのＡＣＫ／ＮＡＣＫ応答情報が先にマッピングされ、第１の伝送ブロックのＡＣＫ／ＮＡＣＫ応答情報が次にマッピングされ、ここで、第１の伝送ブロックは、伝送ブロックインデックスが０である伝送ブロックであり、第２の伝送ブロックは、伝送ブロックインデックスが１である伝送ブロックであり、
または、空間バインディング操作を採らない場合、下りリンク許可情報におけるＤＬ  ＤＡＩ値に応じて各ＰＤＳＣＨに対応する２つのコードワードストリームのＡＣＫ／ＮＡＣＫ応答情報をＡＣＫ／ＮＡＣＫ応答情報シーケンスにマッピングすることは、ＤＬ  ＤＡＩが奇数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩが偶数である場合、第２のコードワードストリームのＡＣＫ／ＮＡＣＫ応答情報が先にマッピングされ、第１のコードワードストリームのＡＣＫ／ＮＡＣＫ応答情報が次にマッピングされ、または、ＤＬ  ＤＡＩが偶数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩが奇数である場合、第２のコードワードストリームのＡＣＫ／ＮＡＣＫ応答情報が先にマッピングされ、第１のコードワードストリームのＡＣＫ／ＮＡＣＫ応答情報が次にマッピングされ、ここで、第１のコードワードストリームは、コードワードストリームインデックスが０であるコードワードストリームであり、第２のコードワードストリームは、コードワードストリームインデックスが１であるコードワードストリームである。
【００６７】
前記方法を実現するために、更に、本発明に係る物理上りリンク制御チャネルのパワー制御装置は、
ＰＵＣＣＨ  ｆｏｒｍａｔ３で伝送する場合に必要なパワー制御パラメータ
0005779277.tif 000143
を確定し、そして前記
0005779277.tif 000144
をパワー制御モジュールに送信することに用いられる確定モジュールと、
前記
0005779277.tif 000145
によってＰＵＣＣＨ  ｆｏｒｍａｔ３での伝送に対してパワー制御を行うことに用いられるパワー制御モジュールと、を備える。
【００６８】
前記確定モジュールは、具体的に、空間バインディング操作を採る場合、式（４）または式（６）に応じてＰＵＣＣＨ  ｆｏｒｍａｔ３で伝送する場合に必要なパワー制御パラメータ
0005779277.tif 000146
を確定し、空間バインディング操作を採らない場合、式（５）または（７）に応じてＰＵＣＣＨ  ｆｏｒｍａｔ３で伝送する場合に必要なパワー制御パラメータ
0005779277.tif 000147
を確定することに用いられる。
【００６９】
前記パワー制御モジュールは、具体的に、前記
0005779277.tif 000148
を式（３）に代入して、式（３）に応じてＰＵＣＣＨ  ｆｏｒｍａｔ３での伝送に対してパワー制御を行うことに用いられる。
【００７０】
この装置は、さらに、Ｄｕａｌ  ＲＭ符号化モードを用いてＰＵＣＣＨ  ｆｏｒｍａｔ３で伝送することに用いられるＤｕａｌ  ＲＭ符号伝送モジュールを備える。
【００７１】
前記Ｄｕａｌ  ＲＭ符号伝送モジュールは、具体的に、ＡＣＫ／ＮＡＣＫ応答情報を伝送する場合に、送信すべきＡＣＫ／ＮＡＣＫ応答情報を、予め定義されたルールに応じて２つのＡＣＫ／ＮＡＣＫ応答情報ビットシーケンスにマッピングし、ＲＭ符号による符号化モードを用いてそれぞれ各ＡＣＫ／ＮＡＣＫ応答情報ビットシーケンスを符号化して、その後、符号化後の２つのＡＣＫ／ＮＡＣＫ応答情報ビットシーケンスをカスケードにインターリーブして伝送することに用いられる。
【００７２】
前記Ｄｕａｌ  ＲＭ符号伝送モジュールが送信すべきＡＣＫ／ＮＡＣＫ応答情報を、予め定義されたルールに応じて２つのＡＣＫ／ＮＡＣＫ応答情報ビットシーケンスにマッピングすることは、具体的には、前記Ｄｕａｌ  ＲＭ符号伝送モジュールは、構成されたサービングセルの個数、各サービングセルに割り当てられた伝送モード、及び上りリンクと下りリンクのサブフレーム間の割合関係に応じて、フィードバックすべきＡＣＫ／ＮＡＣＫ応答情報を確定し、サービングセルインデックスの低いものから高いものの順でＡＣＫ／ＮＡＣＫ応答情報に対応するＡＣＫ／ＮＡＣＫ応答情報シーケンスを得て、同じサービングセルに対して、下りリンク許可情報におけるＤＬ  ＤＡＩ値に応じて、ＡＣＫ／ＮＡＣＫ応答情報をＡＣＫ／ＮＡＣＫ応答情報シーケンスにマッピングして、ここで、前記ＡＣＫ／ＮＡＣＫ応答情報における半永続スケジューリングにより解放されたＡＣＫ／ＮＡＣＫ応答情報がその利用するサービングセルからフィードバックされたＡＣＫ／ＮＡＣＫ応答情報の最後に位置し、その後、ＡＣＫ／ＮＡＣＫ応答情報シーケンスにおけるＡＣＫ／ＮＡＣＫ応答情報を、パリティ位置に応じてそれぞれ２つのＡＣＫ／ＮＡＣＫ応答情報ビットシーケンスにマッピングする。
【００７３】
以下、具体的な実施形態を参照しながら本発明の方法の実現プロセスと原理を詳細に説明する。
【００７４】
実施形態１
本実施形態において、図４に示すように、ＴＤＤシステムでは、基地局は、ＵＥがＰＵＣＣＨ  ｆｏｒｍａｔ３でＡＣＫ／ＮＡＣＫ応答情報を送信するように配置（ｃｏｎｆｉｇｕｒｅ）して、ＵＥにセル＃０（Ｃｅｌｌ＃０）、Ｃｅｌｌ＃１、Ｃｅｌｌ＃２の３つのサービングセルを配置（ｃｏｎｆｉｇｕｒｅ）し、ここで、１ビットのＡＣＫ／ＮＡＣＫ応答情報をフィードバックする必要があるＣｅｌｌ＃２を除き、残りの２つのサービングセルは２ビットのＡＣＫ／ＮＡＣＫ応答情報をフィードバックする必要がある。本実施形態において、ある１つの上りリンクサブフレームが同時に下りリンクサブフレーム＃ｎ、下りリンクサブフレーム＃ｎ＋１、下りリンクサブフレーム＃ｎ＋２と下りリンクサブフレーム＃ｎ＋３の４つのサブフレームのＡＣＫ／ＮＡＣＫ応答情報をフィードバックする必要があると仮定し、即ち下りリンクウィンドウが下りリンクサブフレーム＃ｎ、＃ｎ＋１、＃ｎ＋２と＃ｎ＋３で構成され、ＵＥは、Ｃｅｌｌ＃０上に下りリンクサブフレーム＃ｎ上のＤＬ  ＤＡＩ＝０、下りリンクサブフレーム＃ｎ＋１上のＤＬ  ＤＡＩ＝１、下りリンクサブフレーム＃ｎ＋３上のＤＬ  ＤＡＩ＝３であることを検出し、Ｃｅｌｌ＃１上に下りリンクサブフレーム＃ｎ上のＤＬ  ＤＡＩ＝０、下りリンクサブフレーム＃ｎ＋２上のＤＬ  ＤＡＩ＝２、下りリンクサブフレーム＃ｎ＋３上のＤＬ  ＤＡＩ＝３であることを検出し、サービングセルにおいてＳＰＳにより解放されたＤＣＩ  ｆｏｒｍａｔを示すことがなく、ＳＰＳにより伝送するサブフレームもなく、送信すべきＡＣＫ／ＮＡＣＫ応答情報が２０ビッドだけであるため、空間バインディング操作を必要とせず、ここで、図４の斜線フレームは、ＵＥが受信した伝送ブロックを示し、空白フレームは、ＵＥが伝送ブロックを受信しなかったことを示す。
【００７５】
Ｃｅｌｌ＃０において、ＵＥがサブフレーム＃ｎ、＃ｎ＋１及び＃ｎ＋３上にＰＤＣＣＨに対応するＰＤＳＣＨを検出し、ＵＥが受信した伝送ブロックの個数が６であり、最後のサブフレーム＃ｎ＋３上のＤＬ  ＤＡＩ＝３であることを検出した。
【００７６】
Ｃｅｌｌ＃１において、ＵＥは、サブフレーム＃ｎ、＃ｎ＋２及び＃ｎ＋３上にＰＤＣＣＨに対応するＰＤＳＣＨを検出し、ＵＥが受信した伝送ブロックの個数が６であり、最後のサブフレーム＃ｎ＋３上のＤＬ  ＤＡＩ＝３であることを検出した。
【００７７】
Ｃｅｌｌ＃２において、ＵＥは、伝送ブロックを受信したことがなく、ＰＤＣＣＨを検出せず、ＵＥは、表２によって
0005779277.tif 000149
値に対応するＰＤＳＣＨの個数を確定する。
【００７８】
【表２】
0005779277.tif 000150
【００７９】
本実施形態は、以下の２つの方式のうちの1つを用いて、ＰＵＣＣＨ  Ｆｏｒｍａｔ３で伝送する場合に必要なパワー制御パラメータ
0005779277.tif 000151
を確定する。
【００８０】
（一）ＵＥは、式（５）に応じてＰＵＣＣＨ  ｆｏｒｍａｔ３で伝送する場合に必要なパワー制御パラメータｎＨＡＲＱを確定する。
【００８１】
具体的には、ＵＥがＣｅｌｌ＃０上に受信した伝送ブロックの個数が６であると、
0005779277.tif 000152
となり、
0005779277.tif 000153
となり、ＵＥがＣｅｌｌ＃１に受信した伝送ブロックの個数が６であると、
0005779277.tif 000154
となり、
0005779277.tif 000155
となり、ＵＥがＣｅｌｌ＃２に伝送ブロックを受信せず、且つＤＬ  ＤＡＩを検出しないと、
0005779277.tif 000156
となり、
0005779277.tif 000157
となり、
0005779277.tif 000158
、
0005779277.tif 000159
、
0005779277.tif 000160
、
0005779277.tif 000161
、
0005779277.tif 000162
、
0005779277.tif 000163
及び
0005779277.tif 000164
を式（５）に代入して、
0005779277.tif 000165
を得る。
【００８２】
（二）ＵＥは、式（７）に応じてＰＵＣＣＨ  ｆｏｒｍａｔ３で伝送する場合に必要なパワー制御パラメータ
0005779277.tif 000166
を確定して
0005779277.tif 000167
を得る。
【００８３】
本実施形態に係るＰＵＣＣＨ  ｆｏｒｍａｔ３でＡＣＫ／ＮＡＣＫ応答情報を伝送することを実現する方法は、以下の通りである。
【００８４】
ＵＥは、Ｃｅｌｌ＃０、Ｃｅｌｌ＃１、Ｃｅｌｌ＃２の順でＡＣＫ／ＮＡＣＫ応答情報に対応するＡＣＫ／ＮＡＣＫ応答情報シーケンスを得て、同じサービングセルに対して、ＤＬ  ＤＡＩ値に応じて、ＡＣＫ／ＮＡＣＫ応答情報をＡＣＫ／ＮＡＣＫ応答情報シーケンスにマッピングして、その後、ＡＣＫ／ＮＡＣＫ応答情報シーケンスにおけるＡＣＫ／ＮＡＣＫ応答情報を、パリティ位置に応じて、それぞれ２つのＡＣＫ／ＮＡＣＫ応答情報ビットシーケンスにマッピングし、ＲＭ符号による符号化モードを用いてそれぞれ各ＡＣＫ／ＮＡＣＫ応答情報ビットシーケンスを符号化して、その後、符号化後の２つのＡＣＫ／ＮＡＣＫ応答情報ビットシーケンスをカスケードにインターリーブして伝送する。
【００８５】
同じサービングセルに対して、ＤＬ  ＤＡＩ値に応じて、ＡＣＫ／ＮＡＣＫ応答情報をＡＣＫ／ＮＡＣＫ応答情報シーケンスにマッピングすることについて、以下の２つの方式のうちの一つを用いることができる。
【００８６】
（一）下りリンク許可情報におけるＤＬ  ＤＡＩ値に応じて、各ＰＤＳＣＨに対応する２つの伝送ブロックのＡＣＫ／ＮＡＣＫ応答情報をＡＣＫ／ＮＡＣＫ応答情報シーケンスにマッピングし、ここで、第１の伝送ブロックのＡＣＫ／ＮＡＣＫ応答情報が先にマッピングされ、第２の伝送ブロックのＡＣＫ／ＮＡＣＫ応答情報が次にマッピングされ、または、第２の伝送ブロックのＡＣＫ／ＮＡＣＫ応答情報が先にマッピングされ、第１の伝送ブロックのＡＣＫ／ＮＡＣＫ応答情報が次にマッピングされ、ここで、第１の伝送ブロックは伝送ブロックインデックスが０である伝送ブロックであり、第２の伝送ブロックは伝送ブロックインデックスが１である伝送ブロックである。
【００８７】
（二）下りリンク許可情報におけるＤＬ  ＤＡＩ値に応じて、各ＰＤＣＨに対応する２つのコードワードストリームのＡＣＫ／ＮＡＣＫ応答情報をＡＣＫ／ＮＡＣＫ応答情報シーケンスにマッピングし、ここで、ＤＬ  ＤＡＩ値が奇数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩ値が偶数である場合、第２のコードワードストリームのＡＣＫ／ＮＡＣＫ応答情報が先にマッピングされ、第１のコードワードストリームのＡＣＫ／ＮＡＣＫ応答情報が次にマッピングされ、または、ＤＬ  ＤＡＩ値が偶数である場合、第１のコードワードストリームのＡＣＫ／ＮＡＣＫ応答情報が先にマッピングされ、第２のコードワードストリームのＡＣＫ／ＮＡＣＫ応答情報が次にマッピングされ、ＤＬ  ＤＡＩ値が奇数である場合、第２のコードワードストリームのＡＣＫ／ＮＡＣＫ応答情報が先にマッピングされ、第１のコードワードストリームのＡＣＫ／ＮＡＣＫ応答情報が次にマッピングされ、ここで、第１のコードワードストリームはコードワードストリームインデックスが０であるコードワードストリームであり、第２のコードワードストリームはコードワードストリームインデックスが１であるコードワードストリームである。
【００８８】
前記ＡＣＫ／ＮＡＣＫ応答情報シーケンスにおけるＡＣＫ／ＮＡＣＫ応答情報を、パリティ位置に応じてそれぞれ２つのＡＣＫ／ＮＡＣＫ応答情報ビットシーケンスにマッピングすることは、一般的には、
ＡＣＫ／ＮＡＣＫ応答情報シーケンスにおける奇数位置にあるＡＣＫ／ＮＡＣＫ応答情報を１番目のＡＣＫ／ＮＡＣＫ応答情報ビットシーケンスにマッピングし、偶数位置にあるＡＣＫ／ＮＡＣＫ応答情報を２番目のＡＣＫ／ＮＡＣＫ応答情報ビットシーケンスにマッピングし、または、偶数位置にあるＡＣＫ／ＮＡＣＫ応答情報を１番目のＡＣＫ／ＮＡＣＫ応答情報ビットシーケンスにマッピングし、奇数位置にあるＡＣＫ／ＮＡＣＫ応答情報を２番目のＡＣＫ／ＮＡＣＫ応答情報ビットシーケンスにマッピングする。
【００８９】
実施形態２
本実施形態は、図５に示すように、ＴＤＤシステムにおいて、基地局は、ＵＥＦがＰＵＣＣＨ  ｆｏｒａｍｔ３を用いてＡＣＫ／ＮＡＣＫ応答情報を送信するように配置（ｃｏｎｆｉｇｕｒｅ）して、そしてＵＥにＣｅｌｌ＃０、Ｃｅｌｌ＃１、Ｃｅｌｌ＃２、Ｃｅｌｌ＃３の４つのサービングセルを配置（ｃｏｎｆｉｇｕｒｅ）して、１ビットのＡＣＫ／ＮＡＣＫ応答情報をフィードバックする必要があるＣｅｌｌ＃１を除き、残りの３つのサービングセルは２ビットのＡＣＫ／ＮＡＣＫ応答情報をフィードバックする必要がある。本実施形態は、ある上りリンクサブフレームに同時に下りリンクサブフレーム＃ｎ、下りリンクサブフレーム＃ｎ＋１、下りリンクサブフレーム＃ｎ＋２と下りリンクサブフレーム＃ｎ＋３という共の４つの下りリンクサブフレームのＡＣＫ／ＮＡＣＫ応答情報をフィードバックすると仮定し、即ち下りリンクウィンドウが下りリンクサブフレーム＃ｎ、＃ｎ＋１、＃ｎ＋２、＃ｎ＋３で構成され、ＵＥがＣｅｌｌ＃０上に下りリンクサブフレーム＃ｎ上のＤＬ  ＤＡＩ＝０、下りリンクサブフレーム＃ｎ＋１上のＤＬ  ＤＡＩ＝１、下りリンクサブフレーム＃ｎ＋２上のＤＬ  ＤＡＩ＝２であることを検出し、Ｃｅｌｌ＃１上に下りリンクサブフレーム＃ｎ上のＤＬ  ＤＡＩ＝０、下りリンクサブフレーム＃ｎ＋２上のＤＬ  ＤＡＩ＝２、下りリンクサブフレーム＃ｎ＋３上のＤＬ  ＤＡＩ＝３であることを検出し、Ｃｅｌｌ＃２上に下りリンクサブフレーム＃ｎ上のＤＬ  ＤＡＩ＝０、下りリンクサブフレーム＃ｎ＋１上のＤＬ  ＤＡＩ＝１、下りリンクサブフレーム＃ｎ＋２上のＤＬ  ＤＡＩ＝２、下りリンクサブフレーム＃ｎ＋３上のＤＬ  ＤＡＩ＝３であることを検出し、Ｃｅｌｌ＃０において下りリンクサブフレーム＃ｎ＋３がＳＰＳにより伝送されたサブフレームであり、サービングセルにおいてＳＰＳにより解放されたＤＣＩ  ｆｏｒｍａｔを示すことがなく、送信すべきＡＣＫ／ＮＡＣＫ応答情報が２０ビットより多いため、空間バインディング操作を必要とする。
【００９０】
Ｃｅｌｌ＃０において、ＵＥが、下りリンクサブフレーム＃ｎ、＃ｎ＋１及び＃ｎ＋３にＰＤＣＣＨに対応するＰＤＳＣＨを検出し、そして最後の下りリンクサブフレームｎ＃＋３上のＤＬ  ＤＡＩ＝３であることを検出した。
【００９１】
Ｃｅｌｌ＃１において、ＵＥは、下りリンクサブフレーム＃ｎ、＃ｎ＋２及び＃ｎ＋３にＰＤＣＣＨに対応するＰＤＳＣＨを検出し、そして最後の下りリンクサブフレームｎ＃＋３上のＤＬ  ＤＡＩ＝３であることを検出した。
【００９２】
Ｃｅｌｌ＃２において、ＵＥは、全ての下りリンクサブフレームにＰＤＣＣＨに対応するＰＤＳＣＨを検出した。
【００９３】
Ｃｅｌｌ＃３において、ＵＥは、全ての下りリンクサブフレームにＰＤＣＣＨに対応するＰＤＳＣＨを検出しなかった。
【００９４】
本実施形態は、以下の２つの方式のうちの１つを用いて、ＰＵＣＣＨ  ｆｏｒｍａｔ３で伝送する場合に必要なパワー制御パラメータ
0005779277.tif 000168
を確定する。
【００９５】
（一）ＵＥは、式（４）に応じてＰＵＣＣＨ  ｆｏｒｍａｔ３で伝送する場合に必要なパワー制御パラメータ
0005779277.tif 000169
を確定する。
【００９６】
具体的には、ＵＥがＣｅｌｌ＃０上に３個のＰＤＣＣＨに対応するＰＤＳＣＨを検出すると、
0005779277.tif 000170
となり、ＵＥがＣｅｌｌ＃１上に３個のＰＤＣＣＨに対応するＰＤＳＣＨを検出すると、
0005779277.tif 000171
となり、ＵＥがＣｅｌｌ＃２に４個のＰＤＣＣＨに対応するＰＤＳＣＨを検出すると、
0005779277.tif 000172
となり、ＵＥがＣｅｌｌ＃３上にＰＤＣＣＨに対応するＰＤＳＣＨを検出しないと、
0005779277.tif 000173
となり、ＤＬ  Ｃｅｌｌ＃０において下りリンクサブフレーム＃ｎ＋３がＳＰＳにより伝送されたサブフレームであると、
0005779277.tif 000174
＝１となり、式（４）によって、
0005779277.tif 000175
を得る。
【００９７】
（二）ＵＥが式（６）によってＰＵＣＣＨ  ｆｏｒｍａｔ３で伝送する場合に必要なパワー制御パラメータ
0005779277.tif 000176
を確定すると、
0005779277.tif 000177
となる。
【００９８】
本実施形態に係るＰＵＣＣＨ  ｆｏｒｍａｔ３でＡＣＫ／ＮＡＣＫ応答情報を伝送することを実現する方法は、以下の通りである。
【００９９】
ＵＥは、Ｃｅｌｌ＃０、Ｃｅｌｌ＃１、Ｃｅｌｌ＃２、Ｃｅｌｌ＃３の順でＡＣＫ／ＮＡＣＫ応答情報に対応するＡＣＫ／ＮＡＣＫ応答情報シーケンスを得て、同じサービングセルに対して、ＤＬ  ＤＡＩ値に応じてＡＣＫ／ＮＡＣＫ応答情報をＡＣＫ／ＮＡＣＫ応答情報シーケンスにマッピングし、その後、ＡＣＫ／ＮＡＣＫ応答情報シーケンスにおけるＡＣＫ／ＮＡＣＫ応答情報を、パリティ位置に応じてそれぞれ２つのＡＣＫ／ＮＡＣＫ応答情報ビットシーケンスにマッピングして、ＲＭ符号による符号化モードを用いてそれぞれ各ＡＣＫ／ＮＡＣＫ応答情報ビットシーケンスを符号化し、その後、符号化後の２つのＡＣＫ／ＮＡＣＫ応答情報ビットシーケンスをカスケードにインターリーブして伝送する。
【０１００】
同じサービングセルに対して、ＤＬ  ＤＡＩ値に応じてＡＣＫ／ＮＡＣＫ応答情報をＡＣＫ／ＮＡＣＫ応答情報シーケンスにマッピングすることは、具体的には、下りリンク許可情報におけるＤＬ  ＤＡＩ値に応じて空間バインディング操作後のＡＣＫ／ＮＡＣＫ応答情報をＡＣＫ／ＮＡＣＫ応答情報シーケンスにマッピングする。
【０１０１】
本発明のスキームによれば、ＴＤＤシステムに対して、ＰＵＣＣＨ  ｆｏｒｍａｔ３で伝送する場合に必要なパワー制御パラメータ
0005779277.tif 000178
を確定し、ＰＵＣＣＨ  ｆｏｒｍａｔ３でフィードバックする場合のパワー制御問題を効果的に解決することができ、ＰＵＣＣＨでの応答情報の伝送を実現することができる。
【０１０２】
以上は、本発明の最適的な実施例に過ぎず、本発明の保護範囲を限定することに用いられるものではない。
【図１】
0005779277.tif 000209
【図２】
0005779277.tif 000210
【図３】
0005779277.tif 000211
【図４】
0005779277.tif 000212
【図５】
0005779277.tif 000213